(57)【要約】      （修正有）【課題】故人を偲びまた人の心を癒すことができると共に、遺骨の見た目の生々しさなどが表れるのをなくして、自宅に保管することあるいはメモリアルアクセサリーとして身に着けることに抵抗を感じさせないメモリアル製品である遺骨入り真珠の製造方法の提供。【解決手段】遺灰を粉末化し、粉末化した遺灰と粘土を混ぜ合わせて遺灰入り粘土玉を作製する工程を有し、遺灰入り粘土玉を焼成処理して遺灰入りセラミック核を製作する遺灰入りセラミック核製作工程と、前記遺灰入りセラミック核製作工程で製作した遺灰入りセラミック核を入れた真珠養殖用の母貝を海中で飼養し、遺灰入りセラミック核の表面に真珠層を形成して遺骨入り真珠を作る真珠養殖工程と、を有する遺骨入り真珠の製造方法である。【選択図】図１
2017209029.tif 000002
【特許請求の範囲】
【請求項１】
遺灰を粉末化し、粉末化した遺灰と粘土を混ぜ合わせて遺灰入り粘土玉を作製する工程を有し、遺灰入り粘土玉を焼成処理して遺灰入りセラミック核を製作する遺灰入りセラミック核製作工程と、
前記遺灰入りセラミック核製作工程で製作した遺灰入りセラミック核を入れた真珠養殖用の母貝を海中で飼養し、遺灰入りセラミック核の表面に真珠層を形成して遺骨入り真珠を作る真珠養殖工程と、を有することを特徴とする遺骨入り真珠の製造方法。
【請求項２】
請求項１に記載された遺骨入り真珠の製造方法において、
前記遺灰入りセラミック核製作工程は、遺灰を粉末化した後、遺灰に含まれる重金属を除去する工程を有することを特徴とする遺骨入り真珠の製造方法。
【請求項３】
請求項１又は２に記載された遺骨入り真珠の製造方法において、
前記遺灰入りセラミック核製作工程の遺灰の粉末化は、遺灰を０．０１〜０．１ｍｍの粉末にすることを特徴とする遺骨入り真珠の製造方法。
【請求項４】
請求項１ないし３のいずれかに記載された遺骨入り真珠の製造方法において、
前記遺灰入りセラミック核製作工程の遺灰と粘土を混ぜ合わせるときの遺灰の混合割合は、５重量％〜３０重量％にすることを特徴とする遺骨入り真珠の製造方法。
【発明の詳細な説明】
【技術分野】
【０００１】
本発明は、故人を偲びまた残された人の心を癒すことのできるご供養の形として使用するメモリアル製品である遺骨入り真珠の製造方法に関する。
【背景技術】
【０００２】
兄弟、両親、配偶者などの最愛の人が亡くなったとき、残された人に、故人を偲びまた心を癒すため、故人の遺骨の一部を自宅に保管しておきたいあるいは身に着けていたいと思う気持ちが生じることがある。
【０００３】
この気持ちに応えるものとして、従来、遺骨の一部を硝子製や陶器製の容器の中に収納して自宅に保管しておく、あるいは遺骨の一部をペンダント製の容器の中に収納してメモリアルアクセサリーとして身に着けるメモリアル製品が知られている。このメモリアル製品を自宅に保管しておく、あるいはメモリアルアクセサリーとして身に着けることで、故人を偲ぶことができ、また心を癒すこともできる。
【０００４】
しかしながら、従来のメモリアル製品は、遺骨の一部を収納して保存しているため、容器の中に収納する遺骨の見た目の生々しさなどから、自宅に保管することあるいはメモリアルアクセサリーとして身に着けることに抵抗を感じる人も少なくない。
【発明の概要】
【発明が解決しようとする課題】
【０００５】
本発明は、このような問題を解決するためになされたものであって、その目的は、故人を偲びまた人の心を癒すことができると共に、遺骨の見た目の生々しさなどが表れるのをなくして、自宅に保管することあるいはメモリアルアクセサリーとして身に着けることに抵抗を感じさせないメモリアル製品である遺骨入り真珠を製造することである。
【課題を解決するための手段】
【０００６】
本発明は、遺灰を粉末化し、粉末化した遺灰と粘土を混ぜ合わせて遺灰入り粘土玉を作製する工程を有し、遺灰入り粘土玉を焼成処理して遺灰入りセラミック核を製作する遺灰入りセラミック核製作工程と、前記遺灰入りセラミック核製作工程で製作した遺灰入りセラミック核を入れた真珠養殖用の母貝を海中で飼養し、遺灰入りセラミック核の表面に真珠層を形成して遺骨入り真珠を作る真珠養殖工程と、を有する遺骨入り真珠の製造方法である。
【発明の効果】
【０００７】
本発明によれば、遺骨入り真珠は、遺灰が遺灰入りセラミック核の中だけに含まれており、その表面には真珠層のみが現れることから、遺灰及び遺骨が直接目に触れることがない。これにより、遺骨入り真珠は、遺灰及び遺骨の見た目の生々しさなどが表れることがなく、自宅に保管することあるいはメモリアルアクセサリーとして身に着けることに抵抗を感じさせないメモリアル製品にすることができる。
【図面の簡単な説明】
【０００８】
【図１】本発明の遺骨入り真珠の製造方法における遺灰入りセラミック核製作工程の説明図である。
【図２】本発明の遺骨入り真珠の製造方法における真珠養殖工程の説明図である。
【図３】真珠養殖用の母貝での遺骨入り真珠ができる過程を示す説明図である。
【発明を実施するための形態】
【０００９】
本発明の遺骨入り真珠の製造方法を、その一実施形態について説明する。
本発明に係る遺骨入り真珠の製造方法は、概略的には、遺灰を粉末化し、粉末化した遺灰と粘土を混ぜ合わせて遺灰入り粘土玉を作製する工程を有し、遺灰入り粘土玉を焼成処理して遺灰入りセラミック核を製作する遺灰入りセラミック核製作工程と、前記遺灰入りセラミック核製作工程で製作した遺灰入りセラミック核を入れた真珠養殖用の母貝を海中で飼養し、遺灰入りセラミック核の表面に真珠層を形成して遺骨入り真珠を作る真珠養殖工程と、を有する。
なお、遺灰については、人だけでなく、犬や猫などの愛玩動物の遺灰でもよい。
【００１０】
図１は、本発明の実施形態の遺骨入り真珠の製造方法における遺灰入りセラミック核製作工程の説明図である。図２は、本実施形態の遺骨入り真珠の製造方法における真珠養殖工程の説明図である。
【００１１】
まず、遺灰入りセラミック核製作工程について、図1を参照して説明する。
遺灰入りセラミック核製作工程は、図１に示すように、故人の遺灰を粉末化する（Ｓ１０１）。遺灰の粉末化は、遺灰を例えば乳鉢にて０．０１〜０．１ｍｍの粉末にする。なお、遺灰を粉末化の方法は任意であるが、故人の遺灰であることから、手作業によって行うのが好ましい。また、遺灰の粉末化は、０．０１〜０．１ｍｍの粉末にしているが、遺灰を０．１ｍｍより大きくすると、遺灰入り粘土玉を作製したときに、その表面に微細な凹凸ができてしまうので、０．１ｍｍ以下にする。また、遺灰を０．０１ｍｍより小さな粉末にするには、その作業を手作業で行うことから限界があり、このため、０．０１ｍｍ以上であることが好ましい。
【００１２】
次に、遺灰を粉末化した後、遺灰に含まれる重金属を除去する工程（Ｓ１０２）を有する。遺灰に含まれる重金属は、健康上極めて危険性の高い六価クロムなどがある。重金属の除去では、遺灰に含まる例えば六価クロムを、クロム還元剤を用いて三価クロムに還元し、三価クロムに還元した後、イオン交換樹脂を用いて三価クロムを吸着させることによって除去する。このようにして、遺灰に含まれる六価クロムなどの重金属を除去する。
【００１３】
次に、重金属を除去した遺灰と粘土を混ぜ合わせて（Ｓ１０３）、遺灰入り粘土玉を作製する工程を有する。遺灰と粘土を混ぜ合わせるときの遺灰の混合割合は、５重量％〜３０重量％である。なお、遺灰の混合割合を３０重量％より多くすると、即ち遺灰の量が多いと、その分粘土の量が減るため、その後の焼結処理において遺灰入りセラミック核を製作することができなくなるので、遺灰の混合割合を３０重量％以下にする。下限値は任意であるが、あまりに少ないと遺灰入りの意味が薄れるため、遺灰の混合割合を５重量％以上であることが好ましい。
【００１４】
次に、遺灰と粘土を混ぜ合わせたものから、遺灰入り粘土玉を作製する工程（Ｓ１０４）を有する。遺灰入り粘土玉は、母貝への核入れを考慮して、例えば１つの重さを５〜７ｇとし、その外径を６〜８ｍｍの球体となるように形状を整える。なお、遺灰入り粘土玉の作製は任意であるが、手作業によって行うことが好ましい。
【００１５】
次に、球体となった遺灰入り粘土玉を自然乾燥する（Ｓ１０５）。自然乾燥の期間は約１週間である。
【００１６】
遺灰入り粘土玉を自然乾燥した後、不規則な表面となるものを、手作業によって形状を整える（Ｓ１０６）。
【００１７】
次に、遺灰入り粘土玉を焼成処理する（Ｓ１０７）。
焼成処理は、初めに遺灰入り粘土玉を素焼きする（Ｓ１０８）。素焼きは、窯内温度８００〜１２００°で行う。
【００１８】
素焼きの後、遺灰入り粘土玉を釉薬に浸し掛けする（Ｓ１０９）。釉薬は、陶磁器などを作るときに用いる通常のものを使用する。また、浸し掛けは、釉薬が入っている容器の中に素焼きした遺灰入り粘土玉を入れて行う。
【００１９】
遺灰入り粘土玉を釉薬に浸し掛けした後、遺灰入り粘土玉を自然乾燥する（Ｓ１１０）。乾燥の期間は約１日である。
乾燥後、不規則な表面となるものを、手作業によって形状を整える（Ｓ１１１）。
【００２０】
その後、遺灰入り粘土玉を本焼きする（Ｓ１１２）。本焼きは、窯内温度８５０〜１２５０°で酸化焼成にて行う。
これにより、遺灰入りセラミック核が完成する。
【００２１】
次に、以上のようにして製作された遺灰入りセラミック核を用いて、真珠を作る真珠養殖工程について、図２を参照して説明する。
【００２２】
真珠養殖工程は、真珠養殖用の母貝を用意する。真珠養殖用の母貝は、アコヤガイの２〜３年目のものを使用し、核入れを良好に行うための前準備である仕立てを行ったものである。仕立ては、活動を抑えて卵を熟成させない抑制（卵止め）と、母貝に刺激を与えて放卵させる卵抜きである。
【００２３】
次に、図２に示すように、母貝への核入れを行う（Ｓ２０１）。核入れは、前記遺灰入りセラミック核製作工程で製作した遺灰入りセラミック核を、真珠養殖用の母貝に入れることで行う。具体的には真珠養殖用の母貝の生殖腺に、遺灰入りセラミック核と外套膜の小片（ピース）を密接させた状態で挿入する。なお、核入れは主に５〜６月ごろ行う。
【００２４】
核入れを行った後、母貝の養生を行う（Ｓ２０２）。母貝の養生は、母貝の体力を回復させるため、養生カゴに母貝を入れて安静状態にすることである。養生期間は１０〜２０日である。
【００２５】
母貝の養生後、沖出しを行う（Ｓ２０３）。即ち、沖出しは、養生して体力が回復した母貝を沖合の真珠いかだにカゴを介して吊るして沖合の海中で飼養させることである。なお、沖出しは主に７月ごろ行う。
【００２６】
沖出しを行った後、沖合の海中で飼養している母貝の管理を行う（Ｓ２０４）。母貝の管理は、海の水温・酸素量・比重・プランクトン量などの漁場の変化に注意して、母貝の清掃、カゴの清掃を行うことである。母貝の清掃、カゴの清掃は、定期的に繰り返し行う。
【００２７】
次に、浜揚げを行う（Ｓ２０５）。浜揚げは、沖合の海中で飼養している母貝を海中から取り出して、母貝から遺骨入り真珠を収穫することである。収穫した遺骨入り真珠は、遺灰入りセラミック核の表面に真珠層が形成されている。なお、浜揚げは主に水温が下がる１２月ごろ行う。
これにより、遺骨入り真珠が完成する。
【００２８】
真珠養殖工程では、以上のような作業を行うことによって、遺骨入り真珠を作ることができる。
【００２９】
図３は、真珠養殖用の母貝での遺骨入り真珠ができる過程を示す説明図である。
真珠養殖工程において、真珠養殖用の母貝での遺骨入り真珠ができる過程について説明すると、図３Ａに示すように、遺灰入りセラミック核１に外套膜の小片（ピース）２を密接させた状態で、真珠養殖用の母貝３の生殖腺４に挿入する。すると、図３Ｂに示すように、外套膜の細胞が遺灰入りセラミック核１の表面を覆うようにして真珠袋（パールサック）５が形成される。
その後、図３Ｃに示すように、外套膜の細胞が遺灰入りセラミック核１の全表面を覆って真珠袋５が完成する。
その後、図３Ｄに示すように、遺灰入りセラミック核１の全表面を覆っている真珠袋５の外套膜の細胞から真珠質が分泌して遺灰入りセラミック核１の表面に真珠層６ができあがる。
【００３０】
本実施形態によれば、できあがった遺骨入り真珠にあっては、遺灰が遺灰入りセラミック核の中だけに含まれており、その表面には真珠層のみが現れる。そのため、遺灰及び遺骨が直接目に触れることがない。これにより、遺骨入り真珠は、遺灰及び遺骨の見た目の生々しさなどが表れることがなく、自宅に保管することあるいはメモリアルアクセサリーとして身に着けることに抵抗を感じさせないメモリアル製品にすることができる。
【００３１】
また、遺灰入りセラミック核製作工程にて、遺灰を粉末化した後、遺灰に含まれる重金属を除去する工程を有することで、遺灰入りセラミック核を有害な重金属が含有しない無害なものにすることができる。これにより、真珠養殖工程において、有害物質である重金属が海に流れ出すことがなく、海の生態系に悪影響を及ぼすあるいは環境を汚染するといった問題が発生することはない。
【００３２】
さらに、遺灰入りセラミック核を無害なものにすることで、母貝への悪影響がなく、母貝の生存率及び真珠養殖の成功率にあっては、一般的な真珠養殖のときと同等にできる。そのため、真珠養殖工程において、遺骨入り真珠を効率よく作ることができる。
【００３３】
本実施形態において作られた遺骨入り真珠については、硝子製や陶器製の容器の中に収納して自宅に保管して、お墓や位牌の代わりとなるメモリアル製品にする。ただし、遺骨入り真珠は、これに限定されるものではなく、チェーンや紐をつけてペンダントにしてメモリアルアクセサリーとして身に着けるメモリアル製品にしてもよく、さらに、指輪、ピアス、イヤリング、ネクタイピンなどにしてメモリアルアクセサリーとして身に着けるメモリアル製品にしてもよい。
【符号の説明】
【００３４】
１…遺灰入りセラミック核、２…外套膜の小片、３…母貝、４…生殖腺、５…真珠袋、６…真珠層。
【図１】
2017209029.tif 000003
【図２】
2017209029.tif 000004
【図３】
2017209029.tif 000005